(57)【要約】【課題】マルチキャスト通信を行う際に、同一の基地局に対して同一のマルチキャストデータが重複して送信されるのを回避し、不要なリソースが消費されるのを防止する。【解決手段】本発明は、無線制御装置（ＲＮＣ）４を通じて、コアネットワーク５から転送されたマルチキャストデータを、基地局（ＮｏｄｅＢ）が管轄するセクタ内に在圏する複数の移動局（ＭＳ１〜ＭＳ３）に対して送信する移動通信システムであって、セクタを管理するＮｏｄｅＢに関する情報であるセクタ情報を保持し、このセクタ情報に従ってマルチキャストデータをＲＮＣ４からＮｏｄｅＢへ転送するマルチキャストデータ管理部４２と、マルチキャストデータ管理部４２から転送されたマルチキャストデータを自局が管理するセクタ数分複製し、この複製されたマルチキャストデータを各セクタに送信させるマルチキャスト制御管理部６５とを有する。【選択図】      図３
2004236037.tif 000002
【特許請求の範囲】
【請求項１】
無線制御装置から転送されたマルチキャストデータを、基地局が管轄するセクタ内に在圏する複数の移動局に対して送信する移動通信システムであって、
前記マルチキャストデータを前記無線制御装置から基地局へ、各基地局に対して一つずつ転送するマルチキャストデータ管理部と、
前記マルチキャストデータ管理部から転送された前記マルチキャストデータを自局が管理するセクタ数分複製し、この複製されたマルチキャストデータを各セクタに送信させるマルチキャスト制御管理部と
を有することを特徴とする移動通信システム。
【請求項２】
無線制御装置から転送されたマルチキャストデータを、基地局が管轄するセクタ内に在圏する複数の移動局に対して送信する移動通信システムであって、
前記セクタを管理する基地局に関する情報であるセクタ情報を保持し、このセクタ情報に基づいて、マルチキャストデータを送信すべき対象を決定するセクタ管理部と、
前記マルチキャストデータ管理部から転送された前記マルチキャストデータを前記セクタ管理部が決定した対象数分複製し、この複製されたマルチキャストデータを該当するセクタに送信させるマルチキャスト制御管理部と
を有することを特徴とする移動通信システム。
【請求項３】
無線制御装置から転送されたマルチキャストデータを、基地局が管轄するセクタ内に在圏する複数の移動局に対して送信する移動通信システムであって、
前記セクタを管理する基地局に関する情報であるセクタ情報を保持し、このセクタ情報に従って、前記マルチキャストデータを、前記無線制御装置から基地局へ転送するマルチキャストデータ管理部と、
前記セクタ内に在圏する移動局からマルチキャストデータの送信を要求する制御情報を取得し、この制御情報に基づいて、マルチキャストデータを送信すべき対象を決定するセクタ管理部と、
前記マルチキャストデータ管理部から転送された前記マルチキャストデータを前記セクタ管理部が決定した対象数分複製し、この複製されたマルチキャストデータを該当するセクタに送信させるマルチキャスト制御管理部と
を有することを特徴とする移動通信システム。
【請求項４】
無線制御装置から転送されたマルチキャストデータを、基地局が管轄するセクタ内に在圏する複数の移動局に対して送信する移動通信システムであって、
前記セクタ内に在圏する移動局からマルチキャストデータの送信を要求する制御情報を取得し、この制御情報に基づいて、前記セクタを管理する基地局に関する情報であるセクタ情報を生成するセクタ管理部と、
前記セクタ情報に従って、前記マルチキャストデータを前記無線制御装置から基地局へ転送するマルチキャストデータ管理部と、
前記セクタ情報を取得し、前記マルチキャストデータ管理部から転送された前記マルチキャストデータを、前記セクタ情報に従って決定される対象数分複製し、この複製されたマルチキャストデータを該当するセクタに送信するマルチキャスト制御管理部と
を有することを特徴とする移動通信システム。
【請求項５】
無線制御装置から転送されたマルチキャストデータを、基地局が管轄するセクタ内に在圏する複数の移動局に対して送信する移動通信システムであって、
前記マルチキャストデータを前記無線制御装置から基地局へ、各基地局に対して一つずつ転送するマルチキャストデータ管理部と、
前記セクタ内に在圏する移動局からマルチキャストデータの送信を要求する制御情報を取得し、この制御情報に基づいて、前記マルチキャストデータ管理部から転送された前記マルチキャストデータを、該当するセクタ分複製し、この複製されたマルチキャストデータを該当するセクタに送信するマルチキャスト制御管理部と
を有することを特徴とする移動通信システム。
【請求項６】
無線制御装置から転送されたマルチキャストデータを、基地局が管轄するセクタ内に在圏する複数の移動局に対して送信する移動通信方法であって、
前記マルチキャストデータを前記無線制御装置から基地局へ、各基地局に対して一つずつ転送するステップ（１）と、
転送された前記マルチキャストデータを自局が管理するセクタ数分複製し、この複製されたマルチキャストデータを各セクタに送信させるステップ（２）と
を有することを特徴とする移動通信方法。
【請求項７】
無線制御装置から転送されたマルチキャストデータを、基地局が管轄するセクタ内に在圏する複数の移動局に対して送信する移動通信方法であって、
前記セクタを管理する基地局に関する情報であるセクタ情報を保持し、このセクタ情報に従って前記マルチキャストデータを前記無線制御装置から基地局へ転送するステップ（１）と、
転送された前記マルチキャストデータを自局が管理するセクタ数分複製し、この複製されたマルチキャストデータを各セクタに送信するステップ（２）と
を有することを特徴とする移動通信方法。
【請求項８】
無線制御装置から転送されたマルチキャストデータを、基地局が管轄するセクタ内に在圏する複数の移動局に対して送信する移動通信方法であって、
前記セクタを管理する基地局に関する情報であるセクタ情報を保持し、このセクタ情報に従って、前記マルチキャストデータを前記無線制御装置から基地局へ転送するステップ（１）と、
マルチキャストデータの送信を要求する制御情報を、前記セル内に在圏する移動局から取得し、この制御情報に基づいて、マルチキャストデータを送信すべき対象を決定するステップ（２）と、
転送された前記マルチキャストデータを、前記ステップ（２）において決定した対象数分複製し、この複製されたマルチキャストデータを該当するセクタに送信するステップ（３）と
を有することを特徴とする移動通信方法。
【請求項９】
無線制御装置から転送されたマルチキャストデータを、基地局が管轄するセクタ内に在圏する複数の移動局に対して送信する移動通信方法であって、
前記セクタ内に在圏する移動局から前記マルチキャストデータの送信を要求する制御情報を取得し、この制御情報に基づいて、前記セクタを管理する基地局に関する情報であるセクタ情報を生成するステップ（１）と、
前記セクタ情報に従って前記マルチキャストデータを前記無線制御装置から基地局へ転送するステップ（２）と、
前記セクタ情報を取得し、前記ステップ（２）において転送された前記マルチキャストデータを、前記セクタ情報に従って決定される対象数分複製し、この複製されたマルチキャストデータを該当するセクタに送信するステップ（３）と
を有することを特徴とする移動通信方法。
【請求項１０】
無線制御装置から転送されたマルチキャストデータを、基地局が管轄するセクタ内に在圏する複数の移動局に対して送信する移動通信方法であって、
前記セクタ内に在圏する移動局からマルチキャストデータの送信を要求する制御情報を基地局において取得するステップ（１）と、
前記マルチキャストデータを前記無線制御装置から基地局へ、各基地局に対して一つずつ転送するステップ（２）と、
前記無線制御装置から転送された前記マルチキャストデータを、前記制御情報に基づいて、該当するセクタ分複製し、この複製されたマルチキャストデータを該当するセクタに送信するステップ（３）と
を有することを特徴とする移動通信方法。
【請求項１１】
無線制御装置から転送されたマルチキャストデータを、自局が管轄するセクタ内に在圏する複数の移動局に対して送信する基地局装置であって、
前記無線制御装置から転送された前記マルチキャストデータを自局が管理するセクタ数分複製し、この複製されたマルチキャストデータを各セクタに送信するマルチキャスト制御管理部を有することを特徴とする基地局装置。
【請求項１２】
無線制御装置から転送されたマルチキャストデータを、自局が管轄するセクタ内に在圏する複数の移動局に対して送信する基地局装置であって、
前記セクタを管理する基地局に関する情報であるセクタ情報に従って前記無線制御装置から転送される前記マルチキャストデータを、受信するデータ受信部と、
前記マルチキャストデータ管理部から転送された前記マルチキャストデータを自局が管理するセクタ数分複製し、この複製されたマルチキャストデータを各セクタに送信するマルチキャスト制御管理部と
を有することを特徴とする基地局装置。
【請求項１３】
無線制御装置から転送されたマルチキャストデータを、自局が管轄するセクタ内に在圏する複数の移動局に対して送信する基地局装置であって、
前記セクタを管理する基地局に関する情報であるセクタ情報に従って、前記無線制御装置から転送される前記マルチキャストデータを、受信するデータ受信部と、
前記セクタ内に在圏する移動局からマルチキャストデータの送信を要求する制御情報を取得し、この制御情報に基づいて、前記マルチキャストデータを送信すべき対象を決定するセクタ管理部と、
前記マルチキャストデータ管理部から転送された前記マルチキャストデータを前記セクタ管理部が決定した対象数分複製し、この複製されたマルチキャストデータを各該当するセクタに送信するマルチキャスト制御管理部と
を有することを特徴とする基地局装置。
【請求項１４】
無線制御装置から転送されたマルチキャストデータを、自局が管轄するセクタ内に在圏する複数の移動局に対して送信する基地局装置であって、
前記セクタ内に在圏する移動局から前記マルチキャストデータの送信を要求する制御情報と、前記セクタを管理する基地局に関する情報であるセクタ情報とに従って、前記無線制御装置から転送される前記マルチキャストデータを受信するデータ受信部と、
前記セクタ情報を前記無線制御装置から取得し、前記マルチキャストデータを、前記セクタ情報に従って決定される対象数分複製し、この複製されたマルチキャストデータを、該当するセクタに送信するマルチキャスト制御管理部と
を有することを特徴とする基地局装置。
【請求項１５】
セクタ内に在圏する複数の移動局に対しマルチキャストデータの送信を行う基地局を制御する無線制御装置であって、
前記マルチキャストデータを送信すべきセクタを管理する基地局へ該マルチキャストデータを、各基地局に対して一つずつ転送するマルチキャストデータ管理部を有することを特徴とする無線制御装置。
【請求項１６】
セクタ内に在圏する複数の移動局に対しマルチキャストデータの送信を行う基地局を制御する無線制御装置であって、
前記セクタを管理する基地局に関する情報であるセクタ情報を保持し、このセクタ情報に従って、前記マルチキャストデータを送信すべきセクタを管理する基地局へ該マルチキャストデータを転送するマルチキャストデータ管理部を有することを特徴とする無線制御装置。
【請求項１７】
セクタ内に在圏する複数の移動局に対しマルチキャストデータの送信を行う基地局を制御する無線制御装置であって、
前記セクタ内に在圏する移動局からマルチキャストデータの送信を要求する制御情報を取得し、この制御情報に基づいて、前記セクタを管理する基地局に関する情報であるセクタ情報を生成し保持するとともに、この生成されたセクタ情報を前記基地局に送信するセクタ管理部と、
前記セクタ情報に従って、前記マルチキャストデータを送信すべきセクタを管理する基地局へ、該マルチキャストデータを転送するマルチキャストデータ管理部と
を有することを特徴とする無線制御装置。
【発明の詳細な説明】
【０００１】
【発明の属する技術分野】
本発明は、単一若しくは複数の基地局から複数の移動局に共通の情報を送信する移動通信システム、移動通信方法、基地局装置及び無線制御装置に関する。
【０００２】
【従来の技術】
従来、移動通信システムでは、単一若しくは複数の無線基地局装置がエリア内の不特定多数の移動局に対して共通の情報を一斉に送信するブロードキャスト（Ｂｒｏａｄｃａｓｔ）送信と、ある特定のグループに属している複数の移動局に対して、共通な情報を送信するマルチキャスト（Ｍｕｌｔｉｃａｓｔ）送信とがある。
【０００３】
マルチキャストでは、各エリアにマルチキャストグループに属している移動局が在圏していれば、マルチキャストデータを送信する前に、移動局が無線基地局装置を介してマルチキャストデータ要求を制御情報にて無線制御装置に通知する。そして、その情報に基づいて、無線制御装置は、該当エリアにマルチキャストデータを送信する（例えば、非特許文献１及び２参照）。
【０００４】
また、一つの基地局で複数の指向性アンテナで、セルを複数のセクタに分割するセクタ化技術があり、周波数の有効利用技術として採用されている。ＦＤＭＡやＴＤＭＡでは、同じ基地局数で小セル化を図ることができ、一方で、ＣＤＭＡでは、同一周波数を隣接セルでも用いることから、セクタ数にほぼ比例した容量増の効果が得られる（例えば、非特許文献３参照）。
【０００５】
【非特許文献１】
３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｔｅｒｍｉｎａｌｓ  著，  ２３．０４１  ，  Ｔｅｃｈｎｉｃａｌ  ｒｅａｌｉｚａｔｉｏｎ  ｏｆ  Ｃｅｌｌ  Ｂｒｏａｄｃａｓｔ  Ｓｅｒｖｉｃｅ  （ＣＢＳ），２０００年１０月
【０００６】
【非特許文献２】
３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  ＲａｄｉｏＡｃｃｅｓｓ  Ｎｅｔｗｏｒｋ  著，  ２５．３２４  Ｂｒｏａｄｃａｓｔ／Ｍｕｌｔｉｃａｓｔ  Ｃｏｎｔｒｏｌ  ＢＭＣ，  ２０００年１２月
【０００７】
【非特許文献３】
「Ｗ−ＣＤＭＡ  移動通信方式」、丸善、立川啓二監修  ２００ページ〜２０１ページ
【０００８】
【発明が解決しようとする課題】
しかしながら、マルチキャストデータを送信する基地局には、一つの基地局で複数のセクタを管理する基地局がある。ところが、無線制御装置は、それぞれのセクタを独立したセルと同様にみなし、同一基地局が管理しているにもかかわらず、同一のマルチキャストデータを、無線制御装置から基地局装置にセクタ数分、送信するため、同一のデータが同一の基地局に対して重複して送信されることとなり、その分、不要なリソースが消費されるという問題があった。
【０００９】
そこで、本発明は、以上の点に鑑みてなされたもので、マルチキャスト通信を行う際に、無線制御装置が複数のセクタを管理する基地局へ送信する場合、同一の基地局に対して同一のマルチキャストデータが重複して送信されるのを回避し、不要なリソースが消費されるのを防止することのできる移動通信システム、移動通信方法、基地局装置及び無線制御装置を提供することを目的とする。
【００１０】
【課題を解決するための手段】
上記課題を解決するために、本発明は、無線制御装置から転送されたマルチキャストデータを、基地局が管轄するセクタ内に在圏する複数の移動局に対して送信する際に、マルチキャストデータを無線制御装置から基地局へ、各基地局に対して一つずつ転送し、基地局において、転送されたマルチキャストデータを自局が管理するセクタ数分複製し、この複製されたマルチキャストデータを各セクタに送信する。
【００１１】
このような本発明によれば、同一基地局（ＮｏｄｅＢ）が複数のセクタを管理している場合であっても、無線制御装置からは基地局に一つのマルチキャストデータを送信すればよいため、その分リソースの節約を図ることができる。
【００１２】
他の発明は、無線制御装置から転送されたマルチキャストデータを、基地局が管轄するセクタ内に在圏する複数の移動局に対して送信する際に、セクタを管理する基地局に関する情報であるセクタ情報を、無線制御装置において保持し、このセクタ情報に従ってマルチキャストデータを無線制御装置から基地局へ転送し、この転送されたマルチキャストデータを自局が管理するセクタ数分複製し、この複製されたマルチキャストデータを各セクタに送信する。
【００１３】
このような発明によれば、同一基地局（ＮｏｄｅＢ）が複数のセクタを管理している場合であっても、無線制御装置は、基地局に対して、セクタ情報に従って、マルチキャストデータを送信すべきセクタを管理する基地局に対してのみマルチキャストデータを転送すればよいため、その分リソースの節約を図ることができる。
【００１４】
また、他の発明は、無線制御装置から転送されたマルチキャストデータを、基地局が管轄するセクタ内に在圏する複数の移動局に対して送信する際に、セクタを管理する基地局に関する情報であるセクタ情報を保持し、このセクタ情報に従って、マルチキャストデータを無線制御装置から基地局へ転送し、マルチキャストデータの送信を要求する制御情報をセル内に在圏する移動局から取得し、この制御情報に基づいて、マルチキャストデータを送信すべき対象を決定し、転送されたマルチキャストデータを、決定した対象数分複製し、この複製されたマルチキャストデータを該当するセクタに送信する。
【００１５】
このような本発明によれば、同一基地局（ＮｏｄｅＢ）が複数のセクタを管理している場合であっても、無線制御装置からは基地局に一つのマルチキャストデータを送信すればよいことから、その分リソースの節約を図ることができ、さらに、セクタ内に在圏する移動局やマルチキャストグループが存在しないセクタにはマルチキャストデータを転送しないので、無線リソースの節約をより適正に行うことができる。
【００１６】
さらに、他の発明は、無線制御装置から転送されたマルチキャストデータを、基地局が管轄するセクタ内に在圏する複数の移動局に対して送信する移動通信方法際に、セクタ内に在圏する移動局からマルチキャストデータの送信を要求する制御情報を取得し、この制御情報に基づいて、セクタを管理する基地局に関する情報であるセクタ情報を生成し、このセクタ情報に従ってマルチキャストデータを無線制御装置から基地局へ転送し、セクタ情報を取得し、マルチキャストデータを、セクタ情報に従って決定される対象数分複製し、この複製されたマルチキャストデータを該当するセクタに送信する。
【００１７】
このような本発明によれば、同一基地局（ＮｏｄｅＢ）が複数のセクタを管理している場合であっても、無線制御装置からは基地局に一つのマルチキャストデータを送信すればよく、また、移動局やマルチキャストグループが存在しないセクタにはマルチキャストデータを転送しないため、無線リソースの節約をより適正に行うことができる。
【００１８】
特に、本発明では、無線制御装置から基地局にマルチキャストデータを転送する前に、無線制御装置において、制御情報により、セクタ内に移動局やマルチキャストグループが在圏するか否かを判断し、これに基づいて、マルチキャスト送信が必要なセクタを管理する基地局のみに、無線制御装置からマルチキャストデータの転送を行うため、より適切にリソースの節約を図ることができる。
【００１９】
他の発明は、無線制御装置から転送されたマルチキャストデータを、基地局が管轄するセクタ内に在圏する複数の移動局に対して送信する際、セクタ内に在圏する移動局からマルチキャストデータの送信を要求する制御情報を取得し、マルチキャストデータを前記無線制御装置から基地局へ、各基地局に対して一つずつ転送し、この制御情報に基づいて、無線制御装置から転送された前記マルチキャストデータを該当するセクタ分複製し、この複製されたマルチキャストデータを該当するセクタに送信する。
【００２０】
このような発明によれば、同一基地局（ＮｏｄｅＢ）が複数のセクタを管理している場合であっても、無線制御装置からは基地局に一つのマルチキャストデータを送信すればよく、さらに、基地局において、セクタ内に在圏する移動局に応じて、必要分のみマルチキャストデータを複製し、送信するため、無線リソースの節約をより適正に行うことができる。
【００２１】
【発明の実施の形態】
［第１実施形態］
（システムの構成）
本発明の第１実施形態について説明する。図１は、本実施形態に係る移動通信システムの全体図を示す説明図である。
【００２２】
本実施形態に係る移動通信システムは、図１に示すように、セル１０内を管轄する無線基地局（ＮｏｄｅＢ）と、セル１０内に在圏する移動局装置（ＭＳ）１〜３と、無線制御装置（ＲＮＣ：Ｒａｄｉｏ  Ｎｅｔｗｏｒｋ  Ｃｏｎｔｒｏｌｌｅｒ）４とによって構成される。
【００２３】
なお、ＮｏｄｅＢは、一つのＲＮＣ下に一つのみ配置されるされる場合と、複数配置される場合とがあり、ＭＳ１〜３も、一つのＮｏｄｅＢ下に一つのみが在圏する場合と、複数在圏する場合がある。なお、ここでは、一つのＲＮＣ下に一つのＮｏｄｅＢが配置され、ＮｏｄｅＢの下には複数のＭＳ１〜３が在圏しているものとする。また、本実施形態では、ＭＳ１〜３の全てが同一のマルチキャストグループに属しているものとする。
【００２４】
ＮｏｄｅＢは、例えば無線基地局などの中継局であり、図２に示すように、このＮｏｄｅＢが備える複数のアンテナ素子で構成されるアレイアンテナＢ１〜Ｂ３による指向性ビーム送受信により、セル１０は、複数のセクタ＃１〜＃３に分割されており、アレイアンテナＢ１〜Ｂ３を通じて各セクタ＃１〜＃３に在圏する移動局ＭＳ１〜３に対して通信を行う。
【００２５】
また、ＮｏｄｅＢは、無線基地局装置６を備えている。図３は、本実施形態に係る無線基地局装置６の機能を示すブロック図である。図３に示すように、無線基地局装置６は、各セクタ＃１〜＃３に対応した無線送受信部として、それぞれ無線送受信部６１と、無線送受信部６２と、無線送受信部６３とを有しているとともに、データ受信部６４と、マルチキャスト制御管理部６５とを備えている。
【００２６】
無線送受信部６１〜６３は、各セクタ内に在圏するＭＳ１〜３に対して、アレイアンテナＢ１〜Ｂ３による指向性ビーム送受信を介してデータを送受信するモジュールであり、この無線送受信部６１〜６３は、データ受信部６４を通じてＲＮＣ４とデータの送受信を行う。データ受信部６４は、ＲＮＣ４との間でマルチキャストデータを含む種々のデータを送受信するモジュールであり、マルチキャスト制御管理部６５が接続されている。マルチキャスト制御管理部６５は、ＲＮＣ４から受信したマルチキャストデータをセクタ数分複製し、無線送受信部６１〜６３を通じて各セクタ＃１〜＃３に転送するモジュールである。
【００２７】
ＲＮＣ４は、有線又は無線伝送路により、複数の無線基地局に接続されているとともに、コアネットワーク５を介して他のネットワークに接続されている。ＲＮＣ４は、図３に示すように、データ送受信部４１と、マルチキャストデータ管理部４２とを備えている。データ送受信部４１は、ＮｏｄｅＢとデータの送受信を行うモジュールである。マルチキャストデータ管理部４２は、コアネットワーク５からのマルチキャストデータを受信するとともに、接続している各ＮｏｄｅＢに対して一つずつのみマルチキャストデータを送信するモジュールである。
【００２８】
（システムの動作）
以上の構成を有する本実施形態に係る移動通信システムの動作について説明する。図４は、第１実施形態における移動通信システムの動作を示すシーケンス図である。
【００２９】
図４に示すように、先ず、コアネットワーク５からマルチキャストデータが転送されると（Ｓ１０１及びＳ１０２）、ＲＮＣ４内のマルチキャストデータ管理部４２によりデータ送受信部４１を通じて、各ＮｏｄｅＢに一つのマルチキャストデータを転送する（Ｓ１０３）。
【００３０】
次に、マルチキャストデータをデータ受信部６４により受信（Ｓ１０４）したＮｏｄｅＢは、マルチキャスト制御管理部６５により、当該ＮｏｄｅＢが管理しているセクタ数分（ここでは、３セクタ）にマルチキャストデータを複製し（Ｓ１０５）、それぞれの無線送受信部６１を通じて、複製されたマルチキャストデータを、それぞれのセクタに転送する（Ｓ１０６）。
【００３１】
このような本実施形態に係る移動通信システムによれば、同一基地局（ＮｏｄｅＢ）が複数のセクタ＃１〜＃３を管理している場合であっても、ＲＮＣ４からは無線基地局装置６に一つのマルチキャストデータを送信すればよいため、その分リソースの節約を図ることができる。
【００３２】
［第２実施形態］
（システムの構成）
次いで、本発明の第２実施形態について説明する。図５は、本実施形態に係る無線基地局装置６及びＲＮＣ４の機能を示すブロック図である。本実施形態に係る移動通信システムは、上述した第１実施形態と同様、セル１０内を管轄する無線基地局（ＮｏｄｅＢ）と、セル１０内に在圏する移動局装置（ＭＳ）１〜３と、コアネットワークに接続されたＲＮＣ４とによって構成される。そして、特に、この第２実施形態では、図５に示すように、ＮｏｄｅＢに備えられた無線基地局装置６において、セクタ管理部６６を設けたことを特徴とする。
【００３３】
セクタ管理部６６は、ＮｏｄｅＢが管理しているセクタ＃１〜＃３に関する情報を有しており、このセクタ情報に基づいて、マルチキャストデータを転送すべきセクタを決定するモジュールである。このセクタ管理部６６による決定は、マルチキャスト制御管理部６５に出力される。マルチキャスト制御管理部６５は、本実施形態では、セクタ管理部６６による決定に従って、ＲＮＣ４から受信したマルチキャストデータを複製し、各セクタに転送する。
【００３４】
（システムの動作）
以上の構成を有する本実施形態に係る移動通信システムの動作について説明する。図６は、第２実施形態における移動通信システムの動作を示すシーケンス図である。
【００３５】
図６に示すように、先ず、コアネットワーク５からマルチキャストデータが転送されると（Ｓ２０１）、ＲＮＣ４内のマルチキャストデータ管理部４２によりこのマルチキャストデータが受信され（Ｓ２０２）、マルチキャストデータ管理部４２は、ＮｏｄｅＢに一つのマルチキャストデータを転送する（Ｓ２０３）。
【００３６】
次に、マルチキャストデータをデータ受信部６４により受信（Ｓ２０４）したＮｏｄｅＢは、セクタ管理部６６に保持されているセクタ情報を参照することによって（Ｓ２０５）、当該ＮｏｄｅＢが管理しているセクタを認識し、マルチキャストデータを送信すべきセクタを決定する（Ｓ２０６）。ここでは、セクタ＃１〜＃３がＮｏｄｅＢに送信すべきと決定する。そして、マルチキャスト制御管理部６５により、当該ＮｏｄｅＢが管理しているセクタ数分（ここでは、３セクタ）にマルチキャストデータを複製し（Ｓ２０７）、それぞれの無線送受信部６１を通じて、複製されたマルチキャストデータを、それぞれのセクタに転送する（Ｓ２０８）。
【００３７】
このような本実施形態に係る移動通信システムによれば、同一基地局（ＮｏｄｅＢ）が複数のセクタ＃１〜＃３を管理している場合であっても、ＲＮＣ４からは無線基地局装置６に一つのマルチキャストデータを送信すればよいため、その分リソースの節約を図ることができる。特に、本実施形態では、セクタ情報に従って自局が管理しているセクタを迅速に認識することが可能であり、処理の高速化を図ることができる。
【００３８】
［第３実施形態］
（システムの構成）
次いで、本発明の第３実施形態について説明する。図７及び図８は、本実施形態に係る無線基地局装置６及びＲＮＣ４の機能を示すブロック図である。
【００３９】
本実施形態に係る移動通信システムは、上述した第１実施形態及び第２実施形態と同様、セル１０内を管轄する無線基地局（ＮｏｄｅＢ）と、セル１０内に在圏する移動局装置（ＭＳ）１〜３と、コアネットワークに接続されたＲＮＣ４とによって構成される。
【００４０】
本実施形態において、無線送受信部６１〜６３は、各セクタ内に在圏するＭＳ１〜３に対して、アレイアンテナＢ１〜Ｂ３による指向性ビーム送受信を介してデータを送受信するモジュールであり、この無線送受信部６１〜６３は、データ受信部６４を通じてＲＮＣ４とデータの送受信を行う。データ受信部６４は、ＲＮＣ４との間でマルチキャストデータを含む種々のデータを送受信するモジュールであり、マルチキャスト制御管理部６５’が接続されている。マルチキャスト制御管理部６５’は、ＲＮＣ４から受信したマルチキャストデータを複製し、無線送受信部６１〜６３を通じて各セクタ＃１〜＃３に転送するモジュールである。
【００４１】
ＲＮＣ４は、有線又は無線伝送路により、複数の無線基地局に接続されているとともに、コアネットワーク５を介して他のネットワークに接続されている。図８は、本実施形態に係る移動通信システムのＲＮＣ４の機能を示すブロック図である。
【００４２】
ＲＮＣ４は、図８に示すように、データ送受信部４１と、マルチキャストデータ管理部４２’とを備えている。データ送受信部４１は、ＮｏｄｅＢとデータの送受信を行うモジュールである。マルチキャストデータ管理部４２’は、コアネットワーク５からのマルチキャストデータを受信するとともに、接続しているＮｏｄｅＢが管理しているセクタのセクタ情報を保持し、このセクタ情報に従って各ＮｏｄｅＢに対して一つのマルチキャストデータを送信するモジュールである。
【００４３】
（システムの動作）
以上の構成を有する本実施形態に係る移動通信システムの動作について説明する。図９は、第３実施形態における移動通信システムの動作を示すシーケンス図である。
【００４４】
図９に示すように、先ず、コアネットワーク５からマルチキャストデータが転送されると（Ｓ３０１）、ＲＮＣ４内のマルチキャストデータ管理部４２’によりこのマルチキャストデータが受信され（Ｓ３０２）、マルチキャストデータ管理部４２’に保持されているセクタ情報を参照することによって（Ｓ３０３）、当該ＲＮＣ４に接続されているＮｏｄｅＢが管理しているセクタを認識する（Ｓ３０４）。ここでは、セクタ＃１〜＃３がＮｏｄｅＢに管理されていると認識する。そして、データ送受信部４１を通じて、認識されたセクタについて、ＮｏｄｅＢに一つのマルチキャストデータを転送する（Ｓ３０５）。
【００４５】
次に、マルチキャストデータをデータ受信部６４により受信（Ｓ３０６）したＮｏｄｅＢは、マルチキャスト制御管理部６５’により、当該ＮｏｄｅＢが管理しているセクタ数分（ここでは、３セクタ）にマルチキャストデータを複製し（Ｓ３０７）、それぞれの無線送受信部６１を通じて、複製されたマルチキャストデータを、それぞれのセクタに転送する（Ｓ３０８）。
【００４６】
このような本実施形態に係る移動通信システムによれば、同一基地局（ＮｏｄｅＢ）が複数のセクタ＃１〜＃３を管理している場合であっても、ＲＮＣ４からは無線基地局装置６に一つのマルチキャストデータを送信すればよいため、その分リソースの節約を図ることができる。
【００４７】
［第４実施形態］
次いで、本発明の第４実施形態について説明する。本実施形態では、図１０に示すように、セクタ＃１にＭＳ１が在圏し、セクタ＃２にＭＳ２及び３が在圏しているとともに、セクタ＃２に在圏するＭＳ２及び３が、マルチキャストサービスを受信するマルチキャストグループを形成し、セクタ＃３にはマルチキャストグループが存在しないものとする。
【００４８】
本実施形態に係る移動通信システムは、上述した第１実施形態と同様、セル１０内を管轄する無線基地局（ＮｏｄｅＢ）と、セル１０内に在圏する移動局装置（ＭＳ）１〜３と、コアネットワークに接続されたＲＮＣ４とによって構成される。そして、特に、この第４実施形態では、図１１に示すように、ＮｏｄｅＢに備えられた無線基地局装置６において、セクタ管理部６６を設けたことを特徴とする。
【００４９】
セクタ管理部６６は、ＮｏｄｅＢが管理しているセクタ＃１〜＃３の各セクタに在圏するＭＳ１〜３からマルチキャストデータ要求の制御情報を取得し、その制御情報からマルチキャストデータを転送するセクタを決定するモジュールである。このセクタ管理部６６による決定は、マルチキャスト制御管理部６５に出力される。マルチキャスト制御管理部６５は、本実施形態では、セクタ管理部６６による決定に従って、ＲＮＣ４から受信したマルチキャストデータを複製し、各セクタに転送する。
【００５０】
（動作）
以上の構成を有する第４実施形態に係る移動通信システムの動作について説明する。図１２は、第４実施形態における移動通信システムの動作を示すシーケンス図である。
【００５１】
図１２に示すように、先ず、コアネットワーク５からマルチキャストデータが転送されると（Ｓ４０１）、ＲＮＣ４内のマルチキャストデータ管理部４２によりこのマルチキャストデータが受信され（Ｓ４０２）、マルチキャストデータ管理部４２に保持されているセクタ情報を参照することによって（Ｓ４０３）、当該ＲＮＣ４に接続されているＮｏｄｅＢが管理しているセクタを認識する（Ｓ４０４）。ここでは、セクタ＃１〜＃３がＮｏｄｅＢに管理されていると認識する。そして、データ送受信部４１を通じて、認識されたセクタについて、ＮｏｄｅＢに一つのマルチキャストデータを転送する（Ｓ４０５）。
【００５２】
次に、マルチキャストデータをデータ受信部６４により受信（Ｓ４０６）したＮｏｄｅＢでは、セクタ管理部６６により、無線送受信部６１〜６３のいずれかが取得したデータ要求制御情報に基づいてマルチキャストデータを転送すべきセクタを決定する（Ｓ４０７及びＳ４０８）。ここでは、セクタ＃１にＭＳ１が在圏し、セクタ＃２に在圏するＭＳ２及び３がマルチキャストグループＧ１を形成しているので、無線送受信部６１及び６２がデータ要求の制御情報を受信する一方、無線送受信部６３ではデータ要求の制御情報が受信されないこととなり、これに基づいて、セクタ管理部６６は、マルチキャストデータを無線送受信部６１と無線送受信部６２からセクタ＃１及び＃２に転送することを決定する。
【００５３】
そして、マルチキャスト制御管理部６５により、セクタ管理部６６の決定に従って、必要なセクタ数分（ここでは、２セクタ）、マルチキャストデータを複製し（Ｓ４０９）、それぞれの無線送受信部６１及び６２を通じて、複製されたマルチキャストデータを、それぞれのセクタ＃１及び＃２に転送する（Ｓ４１０）。
【００５４】
このような本実施形態に係る移動通信システムによれば、同一基地局（ＮｏｄｅＢ）が複数のセクタ＃１〜＃３を管理している場合であっても、ＲＮＣ４からは無線基地局装置６に一つのマルチキャストデータを送信すればよいことから、その分リソースの節約を図ることができ、さらに、マルチキャストグループが存在しないセクタにはマルチキャストデータを転送しないので、無線リソースの節約をより適正に行うことができる。
【００５５】
［第５実施形態］
次いで、本発明の第５実施形態について説明する。本実施形態では、上述した第４実施形態と同様に、セクタ＃１にＭＳ１が在圏し、セクタ＃２にＭＳ２及び３が在圏しているとともに、セクタ＃２に在圏するＭＳ２及び３が、マルチキャストサービスを受信するマルチキャストグループを形成し、セクタ＃３にはマルチキャストグループが存在しないものとする。
【００５６】
本実施形態に係る移動通信システムは、上述した第１〜４実施形態と同様、セル１０内を管轄する無線基地局（ＮｏｄｅＢ）と、セル１０内に在圏する移動局装置（ＭＳ）１〜３と、コアネットワークに接続されたＲＮＣ４とによって構成される。
【００５７】
そして、特に、この第５実施形態では、図１３に示すように、上述した第４実施形態において無線基地局装置６に設けられていたセクタ管理部６６が、ＲＮＣ４側にセクタ管理部４３として設けられているとともに、マルチキャスト制御管理部６５は、データ要求の制御情報をＲＮＣ４に転送する機能と、ＲＮＣ４からマルチキャストデータを転送すべきセクタを通知するセクタ情報を受信し、その情報に基づいて該当セクタにのみマルチキャストデータを転送する機能とを有することを特徴とする。
【００５８】
すなわち、本実施形態に係るＲＮＣ４のセクタ管理部４３は、各ＮｏｄｅＢからマルチキャストグループが存在するか否かの内容を含むデータ要求制御情報を、データ送受信部４１を介して受信するとともに、その情報に基づいてマルチキャストデータを転送すべきセクタを決定し、それをセクタ情報としてＮｏｄｅＢに転送する機能を有する。
【００５９】
（動作）
以上の構成を有する第５実施形態に係る移動通信システムの動作について説明する。図１４は、第５実施形態における移動通信システムの動作を示すシーケンス図である。
【００６０】
先ず、コアネットワークからマルチキャストデータが転送されると（Ｓ５０１）、ＲＮＣ４内のマルチキャストデータ管理部４２によりこのマルチキャストデータが受信され（Ｓ５０２）、セクタ管理部４３は、ＮｏｄｅＢからセクタ情報を取得する（Ｓ５０４）。このステップＳ５０４に先だって、ＮｏｄｅＢでは、各セクタに在圏する移動局からデータ要求の制御情報を受信し、これをＲＮＣ４に転送する（Ｓ５０３）。ここでは、セクタ＃１にＭＳ１が在圏し、セクタ＃２に在圏するＭＳ２及び３がマルチキャストグループＧ１を形成しているので、無線送受信部６１及び６２がデータ要求の制御情報を受信する一方、無線送受信部６３ではデータ要求の制御情報が受信されないこととなり、これに基づいて、マルチキャスト制御管理部６５は、受信されたデータ要求制御情報をＲＮＣ４に転送する。
【００６１】
そして、ＲＮＣ４のセクタ管理部４３では、この転送されたデータ要求制御情報に基づいて、マルチキャストデータを転送すべきセクタ＃１と＃２と決定し、そのセクタ情報をＮｏｄｅＢに転送する（Ｓ５０５〜Ｓ５０７）。
【００６２】
また、ＲＮＣ４では、セクタ情報を参照することによって（Ｓ５０８）、当該ＲＮＣ４に接続されているＮｏｄｅＢが管理しているセクタを認識する（Ｓ５０９）。ここでは、セクタ＃１〜＃３がＮｏｄｅＢに管理されていると認識する。そして、データ送受信部４１を通じて、認識されたセクタについて、ＮｏｄｅＢに一つのマルチキャストデータを転送する（Ｓ５１０）。
【００６３】
次に、マルチキャストデータをデータ受信部６４により受信（Ｓ５１１）したＮｏｄｅＢでは、ステップＳ５０７で受信したセクタ情報に基づいて、マルチキャスト制御管理部６５により、必要なセクタ数分、マルチキャストデータを複製する（Ｓ５１２）。ここでは、セクタ＃１にＭＳ１が在圏し、セクタ＃２に在圏するＭＳ２及び３がマルチキャストグループＧ１を形成しているので、これに基づいて、マルチキャスト制御管理部６５は、マルチキャストデータを無線送受信部６１と無線送受信部６２とからセクタ＃１及び＃２に転送するように、２セクタ分の複製を行う。
【００６４】
そして、それぞれの無線送受信部６１及び６２を通じて、複製されたマルチキャストデータを、それぞれのセクタ＃１及び＃２に転送する（Ｓ５１３）。
【００６５】
このような本実施形態に係る移動通信システムによれば、同一基地局（ＮｏｄｅＢ）が複数のセクタ＃１〜＃３を管理している場合であっても、ＲＮＣ４からは無線基地局装置６に一つのマルチキャストデータを送信すればよく、また、マルチキャストグループが存在しないセクタにはマルチキャストデータを転送しないため、無線リソースの節約をより適正に行うことができる。
【００６６】
特に、この第５実施形態では、ＲＮＣ４からＮｏｄｅＢにマルチキャストデータを転送する前に、ＲＮＣ４において、制御情報により、セクタ内にＭＳやマルチキャストグループＧ１が在圏するか否かを判断し、これに基づいて、マルチキャスト送信が必要なセクタを管理するＮｏｄｅＢのみに、ＲＮＣ４からマルチキャストデータの転送を行うため、より適切にリソースの節約を図ることができる。
【００６７】
【発明の効果】
以上述べたように、この発明の移動通信システム、移動通信方法、基地局装置及び無線制御装置によれば、マルチキャスト通信を行う際に、無線制御装置が複数のセクタを管理する基地局へ送信する場合、一つの基地局に対して一つのマルチキャストデータを送信し、基地局側で各セクタに複製して転送することにより、同一の基地局に対して同一のマルチキャストデータが重複して送信されるのを回避し、不要なリソースが消費されるのを防止することができる。
【図面の簡単な説明】
【図１】第１実施形態に係る移動通信システムの全体図を示す説明図である。
【図２】第１実施形態に係る移動通信システムのセクタ構成を示す説明図である。
【図３】第１実施形態に係る移動通信システムの無線基地局装置及びＲＮＣの機能を示すブロック図である。
【図４】第１実施形態における移動通信システムの動作を示すシーケンス図である。
【図５】第２実施形態に係る移動通信システムの無線基地局装置及びＲＮＣの機能を示すブロック図である。
【図６】第２実施形態における移動通信システムの動作を示すシーケンス図である。
【図７】第３実施形態に係る無線基地局装置の機能を示すブロック図である。
【図８】第３実施形態に係る移動通信システムのＲＮＣの機能を示すブロック図である。
【図９】第３実施形態における移動通信システムの動作を示すシーケンス図である。
【図１０】第４実施形態に係る移動通信システムのセクタ構成を示す説明図である。
【図１１】第４実施形態に係る無線基地局装置の機能を示すブロック図である。
【図１２】第４実施形態における移動通信システムの動作を示すシーケンス図である。
【図１３】第５実施形態に係る移動通信システムの無線基地局装置及びＲＮＣの機能を示すブロック図である。
【図１４】第５実施形態における移動通信システムの動作を示すシーケンス図である。
【符号の説明】
＃１〜＃３…セクタ
Ｂ１〜Ｂ３…アレイアンテナ
Ｇ１…マルチキャストグループ
１〜３…ＭＳ（移動局）
４…ＲＮＣ（無線制御装置）
５…コアネットワーク
６…無線基地局装置
１０…セル
４１…データ送受信部
４２…マルチキャストデータ管理部
４３…セクタ管理部
６１〜６３…無線送受信部
６４…データ受信部
６５…マルチキャスト制御管理部
６６…セクタ管理部
【図１】
2004236037.tif 000003
【図２】
2004236037.tif 000004
【図３】
2004236037.tif 000005
【図４】
2004236037.tif 000006
【図５】
2004236037.tif 000007
【図６】
2004236037.tif 000008
【図７】
2004236037.tif 000009
【図８】
2004236037.tif 000010
【図９】
2004236037.tif 000011
【図１０】
2004236037.tif 000012
【図１１】
2004236037.tif 000013
【図１２】
2004236037.tif 000014
【図１３】
2004236037.tif 000015
【図１４】
2004236037.tif 000016